【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
少なくとも１つの細長い負荷支持部材と、
少なくとも１つのバットレス部材と、
前記少なくとも１つのバットレス部材と前記細長い負荷支持部材とを旋回部材に連結することによって形成され、これにより周りを回転するための固定軸を提供する回転可能接合部と
を具備し、
前記少なくとも１つのバットレス部材と前記細長い負荷支持部材とは、少なくとも１つのラミネートシート層を備え、
前記少なくとも１つのバットレス部材は前記細長い負荷支持部材の少なくとも一部に連結し、前記細長い負荷支持部材の少なくとも一部を構造的に支持するようにさらに構成されており、前記細長い負荷支持部材は、ラミネートシートを備え、前記ラミネートシートの少なくとも一部は前記回転可能接合部の前記ラミネートシートの実質的にアーティファクトをもたらすことない部分であり、前記回転可能接合部の前記ラミネートシートの実質的にアーティファクトをもたらすことのない部分が医療撮像時に実質的なＸ線撮像又は放射線撮像のアーティファクトをもたらすことのない材料で形成され、前記回転可能接合部の前記ラミネートシートの前記実質的にアーティファクトをもたらすことのない部分は前記旋回部材と連結して、バットレス回転可能接合装置を形成するように構成されている、装置。
【請求項２】
中央旋回点において前記回転可能接合部に連結する接合具と、
前記接合具は、医療撮像時に実質的なＸ線撮像又は放射線撮像のアーティファクトをもたらすことのない材料で形成され、且つ
前記少なくとも１つの関節式接合部ユニットは、ｘ、ｙ、及びｚ軸の間に実質的な補正をすることなく垂直及び水平方向の位置決めが可能であるように構成され、それによって３次元空間における少なくとも一部の人体構造の位置決めを実質的に円滑に行うことができることを特徴とする、請求項１に記載の装置。
【請求項３】
前記装置は、複数の関節式接合部ユニットを位置決めするため、前記少なくとも１つの人体構造支持部材と連結する少なくとも１つの第１の非金属ケーブル巻き上げ機を更に備え、
前記少なくとも１つのケーブル巻き上げ機は、
前記第１の非金属ケーブルと連結する放射線透過性のラミネートシート層を少なくとも１つ更に備え、且つ、キャリパ回転部を更に備え、
前記キャリパ回転部は前記人体構造支持部材を一部作動させ選択方向に進むように構成されていることを特徴とする、請求項１に記載の装置。
【請求項４】
前記旋回部材の少なくとも一部は、医療撮像時に実質的なＸ線撮像又は放射線撮像のアーティファクトをもたらすことのない材料からなり、少なくとも回転軸を通した医療撮像時に実質的にアーティファクトをもたらすことのない、前記回転可能接合部の回転軸を提供する、請求項１に記載の装置。
【請求項５】
前記バットレス回転可能接合装置は、患者介護台とともに構成され、前記患者介護台は胴体上部支持部分及び胴体下部支持部分を有し、前記バットレス回転可能接合装置は、前記胴体上部支持部分及び前記胴体下部支持部分の少なくとも１つと連結して、可変角度の関節接合を可能にする、請求項１に記載の装置。
【請求項６】
前記細長い負荷支持部材に連結する少なくとも１つの解剖学的支持部材を更に備え、前記解剖学的支持部材上で支持されるときに、患者の人体構造の拡張された可変角度関節接合に関して、前記装置を動作可能にする、請求項１に記載の装置。
【請求項７】
前記少なくとも１つのバットレス部材は、前記細長い負荷支持部材の少なくとも一部分に連結し、前記細長い負荷支持部材の少なくとも一部を構造的に支えるように構成されている、請求項１に記載の装置。
【請求項８】
前記少なくとも１つのバットレス部材により構造的に支えられる前記細長い負荷支持部材の一部分は、前記旋回部材に近接し、又は、前記旋回部材を覆うように構成され、
前記旋回部材に近接する、又は前記旋回部材を覆う前記少なくとも１つのバットレス部材の少なくとも一部分は、医療撮像時に実質的なＸ線撮像又は放射線撮像のアーティファクトをもたらすことのない材料からなり、前記回転軸に近接する、又は前記回転軸を含む領域を通した医療撮像時に実質的にアーティファクトをもたらすことのない、前記回転軸に近接する、又は前記回転軸を含む領域を提供する、請求項１に記載の装置。
【請求項９】
前記装置は垂直性及び伸長性の両方の位置決めのために構成された第１の非金属頭部ポジショナを更に備えることを特徴とする、請求項２に記載の装置。
【請求項１０】
前記装置は、遠隔作動制御システムを更に含み、
前記遠隔作動制御システムは、外科用ロボットとイメージガイダンスシステムと少なくとも部分的に連携して前記少なくとも１つの第１の非金属ケーブルを遠隔作動するように構成されることを特徴とする請求項２に記載の装置。
【請求項１１】
前記装置は：
足首、手又は頭部用の適切な支持を提供するように構成され、前記少なくとも１つの身体構造支持部材の遠位部とで構成される遠端支持アセンブリと；
前記遠端支持アセンブリの傾きを選択制御するための手段と；
前記選択的制御システムによって選択される選択位置を固定するための手段と
を備えることを特徴とする請求項２に記載の装置。
【請求項１２】
前記装置は：
上肢、下肢、及び／又は頭部及び頸部用の適切な支持を操作可能とするように構成され、接合部アセンブリを選択的にアンギュレーションするための手段で更に構成されている接合部アセンブリと；
選択的アンギュレーション手段により選択される選択位置を固定するための手段と
を備えることを特徴とする請求項２に記載の装置。
【請求項１３】
前記第１の非金属ケーブルに連結する、前記少なくとも１つの放射線透過性材料のラミネートシート層を備える複数のケーブル巻き上げ機と、
前記第１の非金属ケーブルをスプールするために前記第１の非金属ケーブルに連結し、ハブ内に位置する少なくとも１つのウィンチと、
前記第１の非金属ケーブルに連結する、前記少なくとも１つの放射線透過性材料のラミネートシート層を備える複数のケーブル巻き上げ機と、
前記少なくとも１つのウィンチは前記装置から離れて操作可能であり、前記少なくとも１つのウィンチは前記ハブとともに構成され、前記装置は、前記細長い負荷支持部材の垂直移動を少なくとも部分的に可能にするように構成される回転機構を更に具備し、
前記回転部はキャリパを通って移動し、
前記キャリパが手動方式の実行を介して解除される際、応答して、水平キャリパが解除されるように前記回転部及びキャリパは構成され、前記ハブ内に配置される前記少なくとも１つの巻き上げ機の回転を介して、オペレータは前記ウィンチを使用することで前記細長い負荷支持部材を回転させることができるように、水平キャリパは水平回転部と係合し、
前記少なくとも１つのウィンチは前記ハブとともに構成され、
前記装置は前記細長い負荷支持部材の垂直移動を少なくとも部分的に可能とするように構成される回転機構を更に備え、
前記装置は、前記少なくとも１つの細長い負荷支持部材とのカウンターバランスを有するための少なくとも１つのスプリングリールシステムを更に備える、請求項３に記載の装置。
【請求項１４】
患者の人体構造を配置して医療撮像するための患者介護台において、実質的にアーティファクトをもたらすことのない方法で、請求項１記載の前記実質的にアーティファクトをもたらすことのない回転可能接合部を使用する方法において、前記患者介護台は少なくとも１つの調整可能な人体構造支持部分を有し、前記方法は、
前記実質的にアーティファクトをもたらすことのない回転可能接合部を、前記患者介護台の中央構造部材と構造的に一体化させ、前記中央構造部材は前記患者介護台の主要負荷支持部材であるステップと、
前記回転可能接合部に少なくとも１つの人体構造支持部材を連結するステップと、
前記回転可能接合部の前記少なくとも１つの人体構造支持部材の第１のものを、前記患者介護台の前記少なくとも１つの調整可能な人体支持部分の第１のものに連結させて、可変角度の関節接合を可能にし、少なくとも前記実質的にアーティファクトをもたらすことのない回転可能接合部の少なくとも部分を通しての医療撮像時に実質的にアーティファクトをもたらさないようにするステップと
を含む、方法。
【請求項１５】
請求項１記載の前記実質的にアーティファクトをもたらすことのない回転可能接合部と、
前記患者介護台と、
前記実質的にアーティファクトをもたらすことのない回転可能接合部に連結された少なくとも１つの人体構造支持部材と、
少なくとも１つの負荷支持部材と
を具備するシステムにおいて、
前記実質的にアーティファクトをもたらすことのない回転可能接合部が前記患者介護台の中央構造部材に構造的に一体化され、前記中央構造部材は、前記患者介護台の主要支持部材であり、
前記少なくとも１つの負荷支持部材は、前記実質的にアーティファクトをもたらすことのない回転可能接合部に連結して、支持される人体構造の組織体部分の可変角度の間接接合を可能にしており、少なくとも前記実質的にアーティファクトをもたらすことのない回転可能接合部の少なくとも部分を通しての医療撮像時に実質的にアーティファクトをもたらさないようにする、システム。